(57)【要約】【課題】この発明は、監視制御室に設けられた専用監視端末と、例えばインターネットや電話回線などを利用して遠隔監視を行うＷｅｂ監視端末を備えた監視制御システムに関するもので、画面データの作成や変更の作業において、それぞれの端末毎に画面データを作成する必要を無くし、容易に画面変更や新規画面追加を実施することができる監視制御システムを提供することである。【解決手段】専用監視端末２００とＷｅｂ監視端末４００との監視画面の元になるマスタ画面情報が作成保存されたマスタ画面データベース１２０と、該マスタ画面データベース１２０から生成登録された専用監視端末２００の監視画面データベース２２０と、監視データ配信Ｗｅｂサーバ３００に設けられマスタ画面データベース１２０から生成登録されたＷｅｂ監視画面データベース３３０とを備えたものである。【選択図】図１
2014153794.tif 000002
【特許請求の範囲】
【請求項１】
専用監視端末とＷｅｂ監視端末とを備えた監視制御システムにおいて、上記専用監視端末と上記Ｗｅｂ監視端末との監視画面の元になるマスタ画面情報が作成保存されたマスタ画面データベースと、該マスタ画面データベースから生成登録された上記専用監視端末の監視画面データベースと、監視データ配信Ｗｅｂサーバに設けられ上記マスタ画面データベースから生成登録されたＷｅｂ監視画面データベースとを備えたことを特徴とする監視制御システム。
【請求項２】
上記監視データ配信Ｗｅｂサーバは、上記Ｗｅｂ監視端末からの要求を受けて該Ｗｅｂ監視端末にＷｅｂ監視画面データを配信することを特徴とする請求項１に記載の監視制御システム。
【請求項３】
上記監視データ配信Ｗｅｂサーバは、上記Ｗｅｂ監視端末の画面サイズに調節したＷｅｂ監視画面データを配信することを特徴とする請求項１または２に記載の監視制御システム。
【請求項４】
上記監視データ配信Ｗｅｂサーバは、画面サイズを縮小する時に画面を構成するオブジェクトが干渉する場合には、該オブジェクトの表示・非表示を優先度によって切り替えることを特徴とする請求項１から３のいずれか１項に記載の監視制御システム。
【請求項５】
上記オブジェクトの表示・非表示を切り替える優先度は、監視対象機器の状態に応じて動的に変化することを特徴とする請求項４に記載の監視制御システム。
【請求項６】
上記監視データ配信Ｗｅｂサーバは、上記Ｗｅｂ監視端末の固体識別情報と制御可否情報を保有しており、許可された範囲内でＷｅｂ監視画面データを生成し配信することを特徴とする請求項１から５のいずれか１項に記載の監視制御システム。
【請求項７】
上記監視データ配信Ｗｅｂサーバは、画面サイズを縮小する時に画面を構成するオブジェクトが干渉する場合には、該オブジェクトを干渉しない形状のオブジェクトに置き換えてＷｅｂ監視画面データを生成し配信することを特徴とする請求項１から６のいずれか１項に記載の監視制御システム。
【請求項８】
上記監視データ配信Ｗｅｂサーバは、上記Ｗｅｂ監視端末が携帯端末の場合にはデータサイズを低減したＷｅｂ監視画面データを生成し配信することを特徴とする請求項１から７のいずれか１項に記載の監視制御システム。
【請求項９】
上記監視データ配信Ｗｅｂサーバは、上記Ｗｅｂ監視端末のユーザ情報と制御可否情報を保有しており、許可された範囲内でＷｅｂ監視画面データを生成し配信することを特徴とする請求項１から８のいずれか１項に記載の監視制御システム。
【発明の詳細な説明】
【技術分野】
【０００１】
この発明は、監視制御室に設けられた専用監視端末と、例えばインターネットや電話回線などを利用して遠隔監視を行うＷｅｂ監視端末を備えた監視制御システムに関するものである。
【背景技術】
【０００２】
従来は監視制御室において専用監視端末で集中監視するものが一般的であったが、昨今、運用コストの抑制や情報処理技術の進展により、インターネットや電話回線などを介して遠隔監視するＷｅｂ監視端末を設けることで、監視対象の設備機器に異常が発生した場合に監視員が監視制御室以外の場所や自宅等に居ても迅速な対応ができるような遠隔監視システムが提案されている。（例えば特許文献１）
【先行技術文献】
【特許文献】
【０００３】
【特許文献１】特開２００５−２０４１８３号公報
【発明の概要】
【発明が解決しようとする課題】
【０００４】
従来の監視制御システムにおいては、専用監視端末とＷｅｂ監視端末で画面の共有はできず、画面データの作成や変更の作業において、それぞれの端末毎に画面データを作成する必要があり、画面変更や新規画面追加を行う場合に多大の作業が発生するうえ、画面データ作成時に作業ミスが混入する可能性が高くなるという課題があった。
【０００５】
この発明は、以上のような課題を解決するためになされたもので、専用監視端末とＷｅｂ監視端末を備えた監視制御システムにおいて、画面変更や新規画面追加を容易に実施することができるとともに、画面データ作成時に作業ミスの発生する可能性を少なくできる監視制御システムを得ることを目的とする。
【課題を解決するための手段】
【０００６】
この発明に係る監視制御システムは、専用監視端末とＷｅｂ監視端末とを備えた監視制御システムにおいて、上記専用監視端末と上記Ｗｅｂ監視端末との監視画面の元になるマスタ画面情報が作成保存されたマスタ画面データベースと、該マスタ画面データベースから生成登録された上記専用監視端末の監視画面データベースと、監視データ配信Ｗｅｂサーバに設けられ上記マスタ画面データベースから生成登録されたＷｅｂ監視画面データベースとを備えたことを特徴とするものである。
【発明の効果】
【０００７】
この発明の監視制御システムによれば、専用監視端末とＷｅｂ監視端末との監視画面の元になるマスタ画面情報が作成保存されたマスタ画面データベースと、該マスタ画面データベースから生成登録された上記専用監視端末の監視画面データベースと、監視データ配信Ｗｅｂサーバに設けられ上記マスタ画面データベースから生成登録されたＷｅｂ監視画面データベースとを備えているため、マスタ画面データベースを作成保存することにより、上記専用監視端末と上記Ｗｅｂ監視端末との監視画面が生成登録されるため、画面変更や新規画面追加を容易に実施することができるとともに、作業ミスの混入する可能性を少なくできる監視制御システムを得ることができる効果がある。
【図面の簡単な説明】
【０００８】
【図１】この発明の実施の形態１における監視制御システムの概略構成を示すブロック図である。
【図２】この発明の実施の形態１における監視制御システムのＷｅｂ画面変換部の動作を示すフロー図である。
【図３】この発明の実施の形態１における監視制御システムの画面管理マスタテーブルを示す説明図である。
【図４】この発明の実施の形態１における監視制御システムの部品管理テーブルを示す説明図である。
【図５】この発明の実施の形態１における監視制御システムの監視画面例を示す説明図である。
【図６】この発明の実施の形態２における監視制御システムの概略構成を示すブロック図である。
【図７】この発明の実施の形態２における監視制御システムの監視画面例を示す説明図である。
【図８】この発明の実施の形態２における監視制御システムの監視画面においてオブジェクトが重なった場合を示す説明図である。
【図９】この発明の実施の形態２における監視制御システムの監視画面においてオブジェクトの重なりを優先度で解消した場合を示す説明図である。
【図１０】この発明の実施の形態３における監視制御システムのＷｅｂ画面生成部の動作を示すフロー図である。
【図１１】この発明の実施の形態４における監視制御システムの概略構成を示すブロック図である。
【図１２】この発明の実施の形態６における監視制御システムの監視画面例を示す説明図である。
【図１３】この発明の実施の形態６における監視制御システムのデフォルメ前のオブジェクト例を示す説明図である。
【図１４】この発明の実施の形態６における監視制御システムのデフォルメ後のオブジェクト例を示す説明図である。
【図１５】この発明の実施の形態７における監視制御システムのデータ量削減前のオブジェクト例を示す説明図である。
【図１６】この発明の実施の形態７における監視制御システムのデータ量削減後のオブジェクト例を示す説明図である。
【図１７】この発明の実施の形態７における監視制御システムのデータ量削減前のオブジェクト例を示す説明図である。
【図１８】この発明の実施の形態７における監視制御システムのデータ量削減後のオブジェクト例を示す説明図である。
【図１９】この発明の実施の形態７における監視制御システムのＷｅｂ画面生成部の動作を示すフロー図である。
【発明を実施するための形態】
【０００９】
以下、この発明の実施の形態について説明するが、各図において同一、または相当部分については同一符号を付して説明する。
実施の形態１．
図１はこの発明の実施の形態１における監視制御システムの概略構成を示すブロック図、図２はこの発明の実施の形態１における監視制御システムのＷｅｂ画面変換部の動作を示すフロー図、図３はこの発明の実施の形態１における監視制御システムの部品管理テーブルを示す説明図、図４はこの発明の実施の形態１における監視制御システムの部品管理テーブルを示す説明図、図５はこの発明の実施の形態１における監視制御システムの監視画面例を示す説明図である。
【００１０】
図１において、監視データ管理装置１００は画面データ登録部１１０から入力されたマスタ画面情報をマスタ画面データベース１２０に保有しており、マスタ画面情報が更新されると、更新されたマスタ画面情報を画面データ配信部１３０で圧縮し、社内イントラネットなどの通信ネットワーク５００を経由して、専用監視端末２００および監視データ配信Ｗｅｂサーバ３００に配信する。なお、監視データ管理装置１００は実際には監視対象の設備機器（図示せず）から収集蓄積した監視データを保有しており、逐次、専用監視端末２００および監視データ配信Ｗｅｂサーバ３００に配信するなど各種の構成要素を備えているが、この部分の構成は従来のものと同様であり、本発明の特徴と直接関係がないため記載を省略している。また、以下に説明する専用監視端末２００および監視データ配信Ｗｅｂサーバ３００においても、同様に通常の監視に使用される部分の構成の記載を省略している。
【００１１】
専用監視端末２００の画面データ受信部２１０は、監視データ管理装置１００の画面データ配信部１３０により圧縮され配信されたマスタ画面情報を解凍し、更新されたマスタ画面情報を監視画面データベース２２０に登録する。監視画面表示部２３０はこのようにして更新された監視画面データベース２２０の画面情報を使用して通常の監視に使用される監視画面を表示する。
【００１２】
監視データ配信Ｗｅｂサーバ３００の画面データ受信部３１０は、監視データ管理装置１００の画面データ配信部１３０により圧縮され配信されたマスタ画面情報を解凍し、更新されたマスタ画面情報をＷｅｂ画面変換部３２０に渡す。Ｗｅｂ画面変換部３２０は更新されたマスタ画面情報を画像データ（ＳＶＧ）、構造データ（ｈｔｍｌ＋ｃｓｓ）および動作データ（Ｊａｖａ  Ｓｃｒｉｐｔ（登録商標））の３種類に分離してＷｅｂ監視画面データベース３３０に登録する。Ｗｅｂ画面配信部３５０はＷｅｂ監視端末４００のＷｅｂブラウザ４１０からの要求により、Ｗｅｂ監視画面データベース３３０に更新登録された画面情報を使用して通常の監視に使用されるＷｅｂ監視画面データを作成し、インターネットや電話回線などの通信ネットワーク５１０を介してＷｅｂ監視端末４００のＷｅｂブラウザ４１０に配信する。このようにしてＷｅｂ監視端末４００のＷｅｂブラウザ４１０のウインドウ画面に通常の監視に使用される監視画面が表示される。
【００１３】
次に動作について説明する。監視データ管理装置１００のマスタ画面データベース１２０が更新されると、専用監視端末２００の監視画面データベース２２０および監視データ配信Ｗｅｂサーバ３００のＷｅｂ監視画面データベース３３０が更新される点については上記説明のとおりであるため省略し、ここでは特にＷｅｂ画面変換部３２０の動作について図２のフロー図にもとづき詳細に説明する。ステップＳＴ００１において、更新されたマスタ画面情報に含まれる例えばシンボルや制御ボタンなどの部品（オブジェクト）を抽出して、走査していないものが有ればその部品の判定を開始する。ステップＳＴ００２において、部品に例えば他の画面に遷移させたり監視対象機器を制御するなどの動作機能が有るかを判定して、動作機能が有れば、ステップＳＴ００３において、部品に含まれる動作機能を分離して動作データ（Ｊａｖａ  Ｓｃｒｉｐｔ）に追加する。ステップＳＴ００４において、部品の画面上での配置位置と表示優先度を抽出して構造データ（ｈｔｍｌ＋ｃｓｓ）に追加する。ステップＳＴ００５において、部品のシンボルや制御ボタンなどの画像データを分離して画像データ（ＳＶＧ）に追加する。ステップＳＴ００６において、全ての部品について走査完了するまで上記ステップＳＴ００１からステップＳＴ００５の動作を繰り返す。
【００１４】
全ての部品の走査が完了したら、ステップＳＴ００７において、分離された各データは例えば図３に示す画面管理テーブルや図４に示す部品管理テーブルなどの形態でＷｅｂ監視画面データベース３３０に登録される。図３に示す画面管理テーブルは、同一の画面ＩＤであるＤＩＳＰ００１に２個（Ｓ００１，Ｓ００２）の部品ＩＤが入っており、表示位置Ｘ座標と表示位置Ｙ座標をそれぞれ％データで保有している。このように表示位置座標を％データで保有することにより、画面を拡大・縮小しても各部品（オブジェクト）の表示位置関係を同じにすることができる。表示における優先度は数値が小さい方が優先度が高く数値が大きいほど優先度が低くなる。この優先度は固定的に設けてもよいが、監視対象の設備機器の状態に応じて動的に変更するようにするのが望ましい。図４の部品管理テーブルは、各部品の制御機能と動作機能の有無をそれぞれ有（ｔｒｕｅ）と無（ｆａｌｓｅ）で定義している。これによりどの部品が動作を含んだ部品で制御が可能かが明確である。
【００１５】
図３に示す画面管理テーブルと図４に示す部品管理テーブルを使用して実際の設備機器の監視に使用されるＷｅｂ監視画面を表示した例を図５に示す。以下の説明においては、画面に表示配置された部品を総称して全てオブジェクトとして説明する。図５は、Ｗｅｂ監視画面１０の表示位置Ｘ座標１０％で表示位置Ｙ座標２０％の位置に図３の画面管理テーブルに示す部品ＩＤがＳ００１に相当するオブジェクト１１が表示され、Ｗｅｂ監視画面１０の表示位置Ｘ座標４０％で表示位置Ｙ座標３０％の位置に図３の画面管理テーブルに示す部品ＩＤがＳ００２に相当するオブジェクト１２が表示されている。なお、表示位置はオブジェクトの左上角で部品管理テーブルに登録されている。
【００１６】
この実施の形態１においては、監視データ管理装置１００のマスタ画面データベース１２０が更新されると、専用監視端末２００の監視画面データベース２２０および監視データ配信Ｗｅｂサーバ３００のＷｅｂ監視画面データベース３３０が更新されるため、個々の監視端末用の画面情報を個別に作る作業を省略でき、さらに手作業による人的ミスの混入を防ぐことができる。また、監視データ管理装置１００の画面登録部１１０を使用した画面情報登録作業のみで、専用監視端末２００や監視データ配信Ｗｅｂサーバ３００が監視データ管理装置１００の設置場所から離れた遠隔地にあっても、専用監視端末２００および監視データ配信Ｗｅｂサーバ３００の監視画面情報更新の全作業を完了でき、作業を効率化することができるとともに、自動的に画面データの変換が行われるため人的な作業ミスの混入する可能性を少なく出来る。
【００１７】
実施の形態２．
図６はこの発明の実施の形態２における監視制御システムの概略構成を示すブロック図、図７はこの発明の実施の形態２における監視制御システムの監視画面例を示す説明図、図８はこの発明の実施の形態２における監視制御システムの監視画面においてオブジェクトが重なった場合を示す説明図、図９はこの発明の実施の形態２における監視制御システムの監視画面においてオブジェクトの重なりを優先度で解消した場合を示す説明図である。上記実施の形態１では、監視データ配信Ｗｅｂサーバ３００のＷｅｂ画面配信部３５０は、Ｗｅｂ監視端末４００のＷｅｂブラウザ４１０からの要求により、Ｗｅｂ監視画面データベース３３０の画面情報を使用して通常の監視に使用されるＷｅｂ監視画面データを作成し、Ｗｅｂ監視端末４００のＷｅｂブラウザ４１０に配信する場合について説明したが、Ｗｅｂ監視端末４００は一般に携帯電話やタブレット端末などの携帯（モバイル）端末やＰＣ（パソコン）など画面サイズが専用監視端末２００よりも小さいものが使用されるため、図６に示すようにＷｅｂ画面生成部３４０を設けることにより、監視画面データを要求してきたＷｅｂ監視端末４００のＷｅｂブラウザ４１０のウインドウ画面サイズに合った最適なＷｅｂ監視画面を提供できるようにしたものである。
【００１８】
具体的には図５に示すＷｅｂ監視画面１０を図７に示すＷｅｂ監視画面２０に縮小する場合には、画面の縮小割合と同一の縮小割合でオブジェクト１１および１２も縮小してオブジェクト２１および２２にすれば、画面全体に対して相対的な位置関係を保つことができる。ただし、オブジェクトに文字情報や数値情報などの文字列が表示されるものについては、文字列の可読性を保つため８ｐｘの文字サイズを最小値として、それ以上のオブジェクトの縮小は行わない。このようにすると図８に示すようにオブジェクト同士が干渉して正しくオブジェクトを表示できない場合がある。このような場合には図３に示す画面管理テーブルの優先度に応じて、優先度の低いオブジェクト１１を表示しないようにする。その結果として表示されるＷｅｂ監視画面は図９に示すようになる。このようにすることで、Ｗｅｂ監視端末４００のＷｅｂブラウザ４１０のウインドウ画面サイズが小さい場合においても、文字列の可読性を保ったＷｅｂ監視画面を提供することができる。また、監視対象機器の状態に応じて優先度を動的に変化するようにすることで、注目すべき監視対象機器を表すオブジェクトを最優先で表示させることができる。
【００１９】
実施の形態３．
図１０はこの発明の実施の形態３における監視制御システムのＷｅｂ画面生成部の動作を示すフロー図である。上記実施の形態２では、Ｗｅｂ画面生成部３４０はＷｅｂブラウザ４１０のウインドウ画面サイズに応じたＷｅｂ監視画面を生成する場合について説明したが、携帯端末においては、画面上の詳しく見たい部分などに２本の指を置いて、該２本の指の間隔を変えてピンチイン・ピンチアウト操作と呼ばれる画面表示の拡大・縮小指示が行われる。このように動的に画面表示の拡大・縮小が行われる場合のＷｅｂ画面生成部３４０の動作を図１０にもとづき説明する。
【００２０】
ステップＳＴ０１１において、画面表示の拡大・縮小指示を検知すると、ステップＳＴ０１２において、現在の画面の表示範囲を取得して、ステップＳＴ０１３において、画面の表示範囲内にあるオブジェクトの干渉有無を調査する。ステップＳＴ０１４において、オブジェクトの干渉がある場合には、ステップＳＴ０１５において、表示優先度に従って優先度の低いオブジェクトを消すなどして干渉を解決する。ステップＳＴ０１４において、干渉が無ければ処理を終了する。このように構成することで、動的な拡大・縮小指示に対してもオブジェクトの干渉の無い最適なＷｅｂ監視画面を提供することができる。
【００２１】
実施の形態４．
図１１はこの発明の実施の形態４における監視制御システムの概略構成を示すブロック図である。上記実施の形態１ではＷｅｂ監視端末４００に専用監視端末２００と同様の監視画面を表示する場合について説明したが、図１１に示すように、監視データ配信Ｗｅｂサーバ３００に制御可能端末データベース３６０を設けて、制御可否の設定に応じた監視画面を提供することができる。具体的には、制御可能端末データベース３６０には制御を許可されているＷｅｂ監視端末４００のＩＰアドレスまたはＭＡＣアドレスなどの固体識別情報が登録されており、Ｗｅｂ画面生成部３４０はＷｅｂ監視端末４００のＷｅｂブラウザ４１０からの要求があった場合に、要求してきたＷｅｂ監視端末４００が制御可能端末データベース３６０に登録されている端末であるか確認し、登録されていれば制御有（ｔｒｕｅ）のオブジェクトを表示するが、登録されていなければ制御有（ｔｒｕｅ）のオブジェクトを非表示にし、制御無（ｆａｌｓｅ）のオブジェクトのみでＷｅｂ監視画面を生成して、Ｗｅｂブラウザ４１０へ配信する。
【００２２】
このように構成することで、制御可能端末データベース３６０に固体識別情報が登録されていない一般のＷｅｂ監視端末４００には制御有のオブジェクトが表示されず、監視対象機器の状態を見る（監視する）ことのみができることになり、監視対象機器の制御は許可された端末からのみ実施できるため、いたずらや誤った制御の発生を防止することができる。なお、制御可能端末データベース３６０へのデータ登録作業は監視データ配信Ｗｅｂサーバ３００内でできるようにしてもよいが、監視データ管理装置１００の画面データ登録部１１０から実施できるようにするのが望ましい。
【００２３】
実施の形態５．
上記実施の形態４では制御可能端末データベース３６０にＷｅｂ監視端末４００の固体識別情報が登録されている場合について説明したが、制御可能端末データベース３６０にユーザ情報としての利用者ＩＤと制御や監視の許可範囲情報を登録しておき、Ｗｅｂ画面生成部３４０は利用者ＩＤにより許可された範囲のオブジェクトによってＷｅｂ監視画面を生成するようにしてもよく、この場合には上記実施の形態４の効果に加え、同一の利用者で有ればどんなＷｅｂ監視端末４００からアクセスしても許可された範囲の監視制御を実施することが可能となる。
【００２４】
実施の形態６．
図１２はこの発明の実施の形態６における監視制御システムの監視画面例を示す説明図、図１３はこの発明の実施の形態６における監視制御システムのデフォルメ前のオブジェクト例を示す説明図、図１４はこの発明の実施の形態６における監視制御システムのデフォルメ後のオブジェクト例を示す説明図である。上記実施の形態２ではＷｅｂ監視画面におけるオブジェクトどうしの干渉を優先度の低いオブジェクトを消すことで解消する場合について説明したが、オブジェクトはできるだけ消さずに表示する方が望ましい。このためＷｅｂ画面生成部３４０は、図８に示すように干渉したオブジェクト１１の周囲にスペースが有る場合には、図１２に示すオブジェクト３１のようにオブジェクトの形状を変えて（以下デフォルメと称す）Ｗｅｂ監視画面を生成する。
【００２５】
具体的には、例えば図８のオブジェクト１１が図１３に示すように弁を表すシンボル画像データと弁開度の数値を表示するブロックと弁開度の設定値を表示するブロックとの３個の要素を横方向に並べて構成されていたとすると、オブジェクト１１の周囲の上下にはスペースがあるため、Ｗｅｂ画面生成部３４０はこの３個の要素を図１４に示すように並べ替えすることでデフォルメされたオブジェクトを生成し、このデフォルメされたオブジェクト３１を使用して図１２に示すＷｅｂ監視画面を生成することで、オブジェクトの干渉を解消する。このようにデフォルメされたオブジェクトを使用することで、干渉したオブジェクトを非表示にしなくてもよくなり、少ない画面スペースを有効活用できる。ただし、このようなデフォルメを実施したオブジェクト使用してもなおオブジェクトの干渉が解消されない場合には、実施の形態２と同様に優先度の低いオブジェクトを表示しない。
【００２６】
実施の形態７．
図１５はこの発明の実施の形態７における監視制御システムのデータサイズ削減前のオブジェクト例を示す説明図、図１６はこの発明の実施の形態７における監視制御システムのデータデータサイズ削減後のオブジェクト例を示す説明図、図１７はこの発明の実施の形態７における監視制御システムのデータサイズ削減前のオブジェクト例を示す説明図、図１８はこの発明の実施の形態７における監視制御システムのデータサイズ削減後のオブジェクト例を示す説明図、図１９はこの発明の実施の形態７における監視制御システムのＷｅｂ画面生成部の動作を示すフロー図である。上記実施の形態６ではデフォルメされたオブジェクトを使用してオブジェクトの干渉を解消する場合について説明したが、実施の形態７ではデータサイズを低減したオブジェクトを使用する場合について説明する。
【００２７】
Ｗｅｂ画面変換部３２０は、マスタ画面情報からＷｅｂ画面データに変換する際に以下に説明するデータサイズを低減したオブジェクトを作成してＷｅｂ監視画面データベース３３０に登録する。具体的な例として、例えば図１５に示すような第１配水池の水位と該水位に応じたポンプの制御を表示するオブジェクトがあった場合には、図１６に示すような第１配水池の水位のみを表示するデータサイズを低減したオブジェクトを作成する。また例えば図１７に示すようなポンプを表すシンボル画像データと第１ポンプの文字列データで構成されたオブジェクトがあった場合には、図１８に示すように単純な図形の円と第１ポンプを表すＰ１の文字列を組み合わせてデータサイズを低減したオブジェクトを作成する。このようにしてＷｅｂ監視画面データベース３３０は通常サイズの画像データとデータサイズを低減した低減サイズの画像データの両方を保有することになる。なお、データサイズを低減したオブジェクトは必ずしもＷｅＢ画面変換部３２０で自動作成する必要は無く、例えばマスタ画面情報に作成保有させてもよい。
【００２８】
次にＷｅｂ画面生成部３４０の動作について、図１９のフロー図にもとづき説明する。ステップＳＴ０２１において、Ｗｅｂ監視端末４００のＷｅｂブラウザ４１０からＷｅｂ監視画面データの配信要求があると、要求元のＷｅｂ監視端末４００は携帯端末かどうかを確認し、携帯端末であればステップＳＴ０２２において、Ｗｅｂ監視画面データベース３３０から低減サイズの画像データを取得する。ステップＳＴ０２４において、構造データおよび動作データをＷｅｂ監視画面データベース３３０から取得する。ステップＳＴ０２５において、取得した低減サイズの画像データと構造データおよび動作データを使用して要求元のＷｅｂ監視端末４００のＷｅｂブラウザ４１０のウインドウ画面サイズに合ったＷｅｂ監視画面データを生成する。このようにして生成されたデータサイズを低減したＷｅｂ監視画面データはＷｅｂ画面配信部３５０から通信ネットワーク５１０を介して要求元のＷｅｂブラウザ４１０に配信される。また、ステップＳＴ０２１で要求元が携帯端末で無い場合には、ステップＳＴ０２３で通常サイズの画像データを取得し、後は上記説明と同様にして通常サイズのＷｅｂ監視画面データを生成して、要求元のＷｅｂブラウザ４１０に配信する。
【００２９】
このように要求元のＷｅｂ監視端末が携帯端末の場合には、データサイズを低減したＷｅｂ監視画面データを生成して配信することにより、画面サイズが小さくてもオブジェクトの干渉が起こりにくく、さらに配信データ量も少なくなるため、通信速度の遅い通信ネットワーク５１０を使用している場合においても、Ｗｅｂ監視画面の表示が速くなり、使用する監視員にとって快適な動作のＷｅｂ監視画面を提供できる。
なお、この発明は、その発明の範囲内において、各実施の形態を自由に組み合わせたり、各実施の形態を適宜、変形、省略することが可能である。
【符号の説明】
【００３０】
１００  監視データ管理装置、１２０  マスタ画面データベース、２００  専用監視端末、２２０  監視画面データベース、３００  監視データ配信Ｗｅｂサーバ、３３０  Ｗｅｂ監視画面データベース、４００  Ｗｅｂ監視端末。
【図１】
2014153794.tif 000003
【図２】
2014153794.tif 000004
【図３】
2014153794.tif 000005
【図４】
2014153794.tif 000006
【図５】
2014153794.tif 000007
【図６】
2014153794.tif 000008
【図７】
2014153794.tif 000009
【図８】
2014153794.tif 000010
【図９】
2014153794.tif 000011
【図１０】
2014153794.tif 000012
【図１１】
2014153794.tif 000013
【図１２】
2014153794.tif 000014
【図１３】
2014153794.tif 000015
【図１４】
2014153794.tif 000016
【図１５】
2014153794.tif 000017
【図１６】
2014153794.tif 000018
【図１７】
2014153794.tif 000019
【図１８】
2014153794.tif 000020
【図１９】
2014153794.tif 000021